(57)【要約】【課題】ディスクトレイの位置調整を行うときの作業性を向上させるとともに、光ディスク駆動装置の制振性を向上させる。【解決手段】光ディスク駆動装置１の上方からアクセスしてディスクトレイ１１の位置調整を行うので、そのときの作業性を向上させることができる。また、光ディスク駆動装置１の左右方向に作業用の空きスペースを設ける必要もないため、光ディスク再生／記録装置４０の設計上の制約を低減させることが可能となる。さらに、光ディスク駆動装置１と光ディスク再生／記録装置４０の筐体との間には、剛体である金属製の第１ベース部材２１、第２ベース部材２２及び第３ベース部材２３が介在しているため、光ディスク駆動装置１全体の剛性が向上し、特に低音域に影響を及ぼす振動を抑制することが可能となる。【選択図】図１
2014182851.tif 000002
【特許請求の範囲】
【請求項１】
光ディスク再生／記録装置の筐体に内蔵される光ディスク駆動装置の位置を調整するための位置調整装置であって、
前記筐体内に固定された第１のベース部材と、
前記第１のベース部材と前記光ディスク駆動装置との間に配置され、前記光ディスク駆動装置が固定される第２のベース部材と、
前記第１のベース部材と前記第２のベース部材との間の距離を調整する調整手段と、
前記第１のベース部材と前記第２のベース部材とを固定する固定手段と
を備えた光ディスク駆動装置の位置調整装置。
【請求項２】
前記固定手段は、前記第１のベース部材及び前記第２のベース部材のうち一方のベース部材に設けられた孔に挿入されるとともに他方のベース部材に設けられたネジ孔に締め付けられるネジによって、前記第１のベース部材及び前記第２のベース部材を互いに固定し、
前記調整手段は、前記一方のベース部材に設けられたネジ孔に挿入されるネジが前記孔から前記他方のベース部材に向かって突出する量によって、前記第１のベース部材と前記第２のベース部材との間の距離を調整する
ことを特徴とする請求項１記載の光ディスク駆動装置の位置調整装置。
【請求項３】
前記固定手段は前記光ディスク駆動装置の幅方向で外側に位置し、前記調整手段は当該幅方向で内側に位置し、
当該固定手段と当該調整手段とが組で用いられる
ことを特徴とする請求項１又は２に記載の光ディスク駆動装置の位置調整装置。
【請求項４】
前記第１のベース部材及び前記第２のベース部材は剛体である
ことを特徴とする請求項１〜３のいずれか１項に記載の光ディスク駆動装置の位置調整装置。
【発明の詳細な説明】
【技術分野】
【０００１】
本発明は、光ディスク駆動装置の位置を調整する技術に関する。
【背景技術】
【０００２】
光ディスク再生／記録装置においては、ＣＤやＤＶＤなどの各種光ディスクがディスクトレイに載置された状態で、光ディスク再生／記録装置の筐体に格納されたり、その筐体から排出されたりする。ディスクトレイが筐体に格納されると、スピンドルモータや光ピックアップを搭載した再生又は記録ユニットが上昇し、スピンドルモータの先端部に装着されたターンテーブルが光ディスクをディスクトレイからすくい上げて、光ディスクをターンテーブルとクランパとの間で挟み込む。この状態で、スピンドルモータが駆動して光ディスクを回転させ、光ピックアップで光ディスクに情報の記録を行い、又は光ディスクから情報の再生を行う（例えば特許文献１参照）。
【先行技術文献】
【特許文献】
【０００３】
【特許文献１】特開２００３−１９６９１０号公報
【発明の概要】
【発明が解決しようとする課題】
【０００４】
ここで、図７（ａ）は、従来の光ディスク駆動装置１ａの一例を示す斜視図であり、（ｂ）は光ディスク駆動装置１ａを内蔵する光ディスク再生／記録装置を正面から見たときの外観を示す正面図である。光ディスク駆動装置１ａは、おおよそ直方体の形状を成すフレーム１０ａと、矢印Ｄ方向（ローディング方向）に移動可能なディスクトレイ１１ａとを備えている。光ディスク駆動装置１ａを内蔵する光ディスク再生／記録装置２０ａの筐体には、ディスクトレイ１１ａを出し入れするための開口部２０ｂが形成されており、ディスクトレイ１１ａはこの開口部２０ｂを通って、光ディスク再生／記録装置２０ａの筐体から外に露出したりその内部に格納されたりする。このため、光ディスク駆動装置１ａにおけるディスクトレイ１１ａの位置と、光ディスク再生／記録装置２０ａの筐体に設けられた開口部２０ｂの位置は、ディスクトレイ１１ａの移動を妨げない程度に一致している必要がある。なお、図７の説明において、「前後方向」とは、ディスクトレイ１１ａのローディング方向、「左右方向」とは、ディスクトレイ１１ａの光ディスク載置面に平行で且つディスクトレイ１１ａのローディング方向に直交する方向、「上下方向」とは、ディスクトレイ１１ａの光ディスク載置面に垂直な方向をそれぞれ指す。
【０００５】
光ディスク駆動装置１ａの左右方向には、光ディスク再生／記録装置の筐体２０ａと一体になった板金フレーム２０ｃが設けられており、光ディスク駆動装置１ａはこの板金フレーム２０ｃによって支持されている。また、フレーム１０ａ底面の前側で且つ左右方向の端部には、光ディスク駆動装置１ａにおけるディスクトレイ１１ａの位置（ここでは特に上下方向の位置、つまり高さ）を調整するための２つのカム１１ｃがそれぞれ設けられている。このカム１１ｃの回転軸１１ｄは、上述した板金フレーム２０ｃに回転可能な状態で支持されている。作業者がドライバ等の工具を用いてカム１１ｃの回転軸１１ｄを回転させることで、回転軸１１ｄからフレーム１０ａの底部までの距離が変わり、この結果、光ディスク駆動装置１ａにおけるディスクトレイ１１ａの上下方向の位置が変わる。作業者は２つのカム１１ｃを適切な量だけ回転させて、光ディスク駆動装置１ａにおけるディスクトレイ１１ａの位置と、光ディスク再生／記録装置２０ａの筐体に設けられた開口部２０ｂの位置とを一致させる。
【０００６】
図７に示した従来の構成においては、作業者が光ディスク駆動装置１ａの左右方向のそれぞれから、ドライバ等の工具をほぼ水平にした状態でその先端を回転軸１１ｄに当ててこれを回転させなければならない。そのためには、光ディスク駆動装置１ａの左右方向の側方にその工具が収まるだけの十分なスペースが必要になり、作業性が良いとはいえないことに加え、このスペース確保が光ディスク再生／記録装置２０ａの設計上の制約になるという問題がある。また、カム１１ｃを回転させるときには、カム１１ｃの回転軸１１ｄからそのカム１１ｃの外径（カム１１ｃの外径においてフレーム１０ａに接する位置）までの距離を視認しながら作業する必要があるが、このとき、作業者は光ディスク駆動装置１ａの側方からの視認になるので、光ディスク駆動装置１ａの正面側にあるディスクトレイ１１ａの位置と光ディスク再生／記録装置２０ａの筐体に設けられた開口部２０ｂの位置とを同時に確認することが困難である。よって、この点からも作業性が良いとはいえない。
【０００７】
また、光ディスク駆動装置１ａは光ディスク再生／記録装置２０ａの筐体（板金フレーム）によって直接的に支持されているため、光ディスク駆動装置１ａ自身が発生させる振動や、光ディスク駆動装置１ａの外部から筐体（板金フレーム）を経由して伝わってくる振動の影響を受けやすい。また、ディスクトレイ１１ａの位置調整後において、これらの振動によってカム１１ｃがわずかに回転してしまうこともあり、ディスクトレイ１１ａの位置と光ディスク再生／記録装置２０ａの筐体に設けられた開口部２０ｂの位置とがずれてしまう虞がある。
【０００８】
そこで、本発明は、図７に示すような従来構成に比べて、ディスクトレイの位置調整を行うときの作業性を向上させるとともに、光ディスク駆動装置の制振性を向上させることを目的とする。
【課題を解決するための手段】
【０００９】
上述した課題を解決するため、本発明は、光ディスク再生／記録装置の筐体に内蔵される光ディスク駆動装置の位置を調整するための位置調整装置であって、前記筐体内に固定された第１のベース部材と、前記第１のベース部材と前記光ディスク駆動装置との間に配置され、前記光ディスク駆動装置が固定される第２のベース部材と、前記第１のベース部材と前記第２のベース部材との間の距離を調整する調整手段と、前記第１のベース部材と前記第２のベース部材とを固定する固定手段とを備えた光ディスク駆動装置の位置調整装置を提供する。
【００１０】
本発明の好ましい態様において、前記固定手段は、前記第１のベース部材及び前記第２のベース部材のうち一方のベース部材に設けられた孔に挿入されるとともに他方のベース部材に設けられたネジ孔に締め付けられるネジによって、前記第１のベース部材及び前記第２のベース部材を互いに固定し、前記調整手段は、前記一方のベース部材に設けられたネジ孔に挿入されるネジが前記孔から前記他方のベース部材に向かって突出する量によって、前記第１のベース部材と前記第２のベース部材との間の距離を調整することを特徴とする。
【００１１】
本発明の別の好ましい態様において、前記固定手段は前記光ディスク駆動装置の幅方向で外側に位置し、前記調整手段は当該幅方向で内側に位置し、当該固定手段と当該調整手段とが組で用いられることを特徴とする。また、前記第１のベース部材及び前記第２のベース部材は剛体であることが望ましい。
【発明の効果】
【００１２】
本発明によれば、ディスクトレイの位置調整を行うときの作業性を向上させるとともに、光ディスク駆動装置の制振性を向上させることができる。
【図面の簡単な説明】
【００１３】
【図１】（ａ）本発明の一実施形態に係る光ディスク駆動装置の外観を示す斜視図であり、（ｂ）光ディスク駆動装置を内蔵する光ディスク再生／記録装置を正面から見たときの外観を示す正面図である。
【図２】（ａ）光ディスク駆動装置を側面からみたときの外観を示す側面図であり、（ｂ）光ディスク駆動装置を正面からみたときの外観を示す正面図である。
【図３】（ａ）第１ベース部材の上面図、（ｂ）第１ベース部材の側面図、（ｃ）第１ベース部材のＡ−Ａ断面図、（ｄ）ピンの側面図である。
【図４】（ａ）第２ベース部材の上面図、（ｂ）第２ベース部材の側面図である。
【図５】（ａ）第３ベース部材の上面図、（ｂ）第３ベース部材の側面図である。
【図６】光ディスク駆動装置のベース機構の分解斜視図である。
【図７】（ａ）従来の光ディスク駆動装置の一例を示す斜視図であり、（ｂ）従来の光ディスク駆動装置を内蔵する光ディスク再生／記録装置を正面から見たときの正面図である。
【発明を実施するための形態】
【００１４】
＜実施形態＞
以下に、図面を参照しながら本発明の実施形態について説明する。
図１（ａ）は、本発明の一実施形態に係る光ディスク駆動装置１の外観を示す斜視図であり、（ｂ）は光ディスク駆動装置１を内蔵する光ディスク再生／記録装置を正面から見たときの外観を示す正面図である。また、図２（ａ）は、光ディスク駆動装置１を側面から（図１（ａ）の矢印Ｓ方向から）見たときの外観を示す側面図であり、（ｂ）は、光ディスク駆動装置１を正面から（図１（ａ）の矢印Ｆ方向から）見たときの外観を示す正面図である。光ディスク駆動装置１は、光ディスク再生／記録装置４０の筐体に内蔵される装置であり、おおよそ直方体の形状を成すフレーム１０と、フレーム１０に内蔵されてモータ駆動により矢印Ｄ方向（ローディング方向）に移動可能なディスクトレイ１１とを備えている。ベース機構２０は、フレーム１０を支持して光ディスク再生／記録装置４０の筐体に対して固定する手段であるとともに、光ディスク駆動装置１の位置を調整するための位置調整装置として機能する。フレーム１０の前面側には、ディスクトレイ１１を出し入れするための開口部１１１が形成されており、その下面側には回路基板（図示略）が装着され、その側面、上面および背面側には外装カバーが装着されている。
【００１５】
光ディスク再生／記録装置４０の筐体には、ディスクトレイ１１を出し入れする開口部４１が形成されており、ディスクトレイ１１はこの開口部４１を通って、光ディスク再生／記録装置４０の筐体から外に露出したりその内部に格納されたりする。従って、光ディスク駆動装置１におけるディスクトレイ１１の位置と、光ディスク再生／記録装置４０の筐体に設けられた開口部４１の位置は、ディスクトレイ１１の移動を妨げない程度に一致している必要がある。なお、本実施形態において、「前後方向」とは、ディスクトレイ１１のローディング方向、「左右方向」とは、ディスクトレイ１１の光ディスク載置面に平行であり且つディスクトレイ１１のローディング方向に直交する方向、「上下方向」とは、ディスクトレイ１１の光ディスク載置面に垂直な方向をそれぞれ指す。
【００１６】
フレーム１０の内部には、スピンドルモータ（図示略）がモータ駆動によって昇降可能に取り付けられている。スピンドルモータの回転軸には、ターンテーブル（図示略）が装着されている。例えばＣＤやＤＶＤなどの光ディスクがディスクトレイ１１のディスク載置面に載置された状態で、ディスクトレイ１１が光ディスク駆動装置１内に格納されると、スピンドルモータが上昇し、ターンテーブルにより光ディスクがディスクトレイ１１からすくい上げられて、クランパとの間に挟み込まれる。この状態で、スピンドルモータの駆動により光ディスクが回転させられ、光ピックアップによる情報の記録又は情報の再生が行われる。なお、光ディスク再生／記録装置４０は、光ディスクに対して、情報の記録及び情報の再生の両方を行う装置であってもよいし、情報の記録のみを行う装置であってもよいし、情報の再生のみを行う装置であってもよい。
【００１７】
図２（ａ）に示すように、フレーム１０は、ベース機構２０を介して、光ディスク再生／記録装置４０の筐体内の底部３０に固定される。ベース機構２０は、それぞれ板状の第１ベース部材２１、第２ベース部材２２及び第３ベース部材２３を備えている。第１ベース部材２１及び第３ベース部材２３が、光ディスク再生／記録装置４０の筐体の底部３０に固定され、第２ベース部材２２が第１ベース部材２１上にネジ２０１により固定される。そして、フレーム１０が第２ベース部材２２と第３ベース部材２３の上にネジ２０３により固定される。これら第１ベース部材２１、第２ベース部材２２及び第３ベース部材２３は、合金などの金属で形成されているため、曲げやねじりの力に対する変形の度合いが小さい、つまり剛性が大きい剛体である。このような剛体が光ディスク駆動装置１と一体になるようにしっかりと固定されているため、ベース機構２０を含む光ディスク駆動装置１ａ全体の剛性が大きくなり、この結果、光ディスク駆動装置１ａの制振性が向上する。
【００１８】
図２（ｂ）に示すように、ベース機構２０を正面から見たときに、左右方向の外側に２本のネジ２０１があり（以下、外側ネジ２０１という）、その内側に２本のネジがある（以下、内側ネジ２０２という）。これらの外側ネジ２０１及び内側ネジ２０２は、側方から見たときに同一直線上に位置している。外側ネジ２０１は、第１ベース部材２１と第２ベース部材２２とを相互に固定するため固定手段である。内側ネジ２０２は、第１ベース部材２１と第２ベース部材２２との間の距離を調整するための調整手段であり、より具体的には、内側ネジ２０２の締め込み量により、第２ベース部材２２から第１ベース部材２１の方向への内側ネジ２０２の先端部分の突出量、つまり第１ベース部材２１と第２ベース部材２２との間の距離が変わるようになっている。このように、固定手段としての外側ネジ２０１は光ディスク駆動装置１の幅方向（正面から見て左右方向）で外側に位置し、調整手段としての内側ネジ２０２は光ディスク駆動装置１の幅方向（正面から見て左右方向）で内側に位置しており、外側ネジ２０１（固定手段）と内側ネジ２０２（調整手段）とが組で用いられるようになっている。
【００１９】
このように、第１ベース部材２１と第２ベース部材２２との間における、左右のそれぞれの距離ｄ１、ｄ２は、内側ネジ２０２により調整可能になっている。従って、作業者がフレーム１０の上方からドライバ等の工具を用いて内側ネジ２０２を回転させて距離ｄ１、ｄ２を調整することで、光ディスク駆動装置１におけるディスクトレイと、光ディスク再生／記録装置４０の筐体に設けられた開口部４１との上下方向の位置を合わせることができる。一般に、光ディスク再生／記録装置４０の筐体は、左右方向（光ディスクの載置面に平行な方向）のサイズよりも上下方向（光ディスクの載置面に垂直な方向）のサイズが小さい形状であり、光ディスク駆動装置１の左右方向には他の部品が配置されていることが多い。このため、左右方向から光ディスク駆動装置１へのアクセスは難しい一方、上方向から光ディスク駆動装置１へのアクセスは比較的容易である。また、作業者は、光ディスク駆動装置１の正面側から、第１ベース部材２１と第２ベース部材２２との間の距離を視認しながら、光ディスク駆動装置１の正面側にあるディスクトレイ１１の位置と光ディスク再生／記録装置４０の筐体に設けられた開口部４１の位置との位置関係をも同時に視認することが可能になる。つまり、作業者は正面からディスクトレイ１１の上下位置を見ながら外側ネジ２０２及び内側ネジ２０２を締めたり緩めたりすることができるので、ディスクトレイ１１の上下位置と外側ネジ２０２及び内側ネジ２０２の締め付け具合を同時に確認することが可能となる。従って、本記実施形態では、図７に示すような従来の構成に比べると、ディスクトレイ１１の位置調整を行うときの作業性が向上するし、また、光ディスク駆動装置１の左右方向に作業用の空きスペースを設ける必要もないため、光ディスク再生／記録装置４０の設計上の制約を低減させることも可能となる。
【００２０】
次に、図３（ａ）は第１ベース部材２１の上面図、（ｂ）は第１ベース部材２１の側面図、（ｃ）は第１ベース部材２１のＡ−Ａ断面図、（ｄ）はピン２１１の側面図である。２つの孔２１２には、光ディスク再生／記録装置４０の筐体の底部３０に設けられたネジ孔（図示略）に固定されるネジが挿入される。孔２１３には、円筒のピン２１１が挿入される。図３（ｃ）に示すように、ピン２１１の頭頂部は第１ベース部材２１の上面から所定の距離だけ突出する。このピン２１１の頭頂部、後述する第２ベース部材２２の切り欠き部２２３に挿入され、これにより、第１ベース部材２１と第２ベース部材との位置決めがなされる。  
【００２１】
図４（ａ）は第２ベース部材２２の上面図、（ｂ）は第２ベース部材２２の側面図である。孔２２１は、第１ベース部材２１と第２ベース部材２２とを固定するための外側ネジ２０１が挿入される孔である。ネジ孔２２２は、第１ベース部材２１と第２ベース部材２２との間の距離を調整するための内側ネジ２０２に噛み合うネジ孔である。切り欠き部２２３は、前述したように第１ベース部材２１の上面から突出するピン２１１の頭頂部が挿入される。切り欠き部２２４は、フレーム１０の左右両側に設けられた突起部（後述する図６（ａ）の突起部１０１ｂ）が挿入される。ネジ孔２２６は、フレーム１０と第２ベース部材２２とを固定するためのネジ２０３と噛み合うネジ孔である。
【００２２】
図５（ａ）は第３ベース部材２３の上面図、（ｂ）は第３ベース部材２３の側面図である。孔２３１は、光ディスク再生／記録装置４０の筐体の底部３０に設けられたネジ孔に噛み合うネジが挿入される。孔２３２は、フレーム１０と第３ベース部材２３とを固定するためのネジ２４２と噛み合うネジ孔である。第３ベース部材２３を側方から見たとき傾斜している傾斜面２３４は、フレーム１０の底面に設けられた回路基板から延びる通信線が通る空間を形成するためのものであり、フレーム１０の底面に回路基板がなければ特に必須ではない。
【００２３】
図６（ａ）はベース機構２０の正面側の分解斜視図であり、（ｂ）はベース機構２０の背面側の分解斜視図である。ベース機構２０の正面側においては、まず、第１ベース部材２１の孔２１２にネジ２１６が挿入され、光ディスク再生／記録装置４０の筐体内の底部３０に設けられたネジ孔（図示略）に締め付けられる。これにより、第１ベース部材２１が光ディスク再生／記録装置４０の筐体に固定される。
【００２４】
次に、第１ベース部材２１のピン２１１の頭頂部が第２ベース部材２２の切り欠き部２２３に挿入されて、これらのベース部材２１，２２のお互いの位置が決められる。この状態で、外側ネジ２０１が、第２ベース部材２２の孔２２１に挿入され、第１ベース部材２１のネジ孔２１４の途中まで（つまり第１ベース部材２１と第２ベース部材とが或る距離だけ離れられるようにして）締め付けられる。そして、内側ネジ２０２が第２ベース部材２２のネジ孔２１４に挿入され、その内側ネジ２０２の先端が第１ベース部材２１の上面に接するまで締め付けられる。これにより、第１ベース部材２１と第２ベース部材２２との間の距離は、第２ベース部材２２から第１ベース部材２１の方向への内側ネジ２０２の先端部分の突出量と同じ長さになる。
【００２５】
フレーム１０においては、左右方向にそれぞれ突出した２つのリブ部１０１が設けられており、さらにそのリブ部１０１の端部からそれぞれ下方に突出した突出部１０１ｂが設けられている。これら２つの突出部１０１ｂがそれぞれ第２ベース部材２２の切り欠き部２２４に挿入されるようにして、フレーム１０が第２ベース部材２２の上に置かれる。そして、ネジ２０３がリブ部１０１に設けられた孔１０１ａに挿入され、第２ベース部材２２のネジ孔２２６に締め付けられる。
【００２６】
一方、ベース機構２０の背面側においては、まず、第３ベース部材２３の孔２３１にネジ２４１が挿入され、光ディスク再生／記録装置４０の筐体内の底部３０に設けられたネジ孔（図示略）に締め付けられる。これにより、第３ベース部材２３が光ディスク再生／記録装置４０の筐体に固定される。次に、フレーム１０の背面側に設けられた孔１０１ｃにネジ２４２が挿入され、第３ベース部材２３のネジ孔２３２に締め付けられる。
【００２７】
以上のようにして、第１ベース部材２１と第２ベース部材２２とが或る距離を隔てた状態で、光ディスク再生／記録装置４０の筐体内の底部３０に対して、第１ベース部材２１、第２ベース部材２２、第３ベース部材２３及びフレーム１０が仮止めされる。
【００２８】
このように各部品が仮止めされた状態で、光ディスク駆動装置１におけるディスクトレイ１１の位置と、光ディスク再生／記録装置４０の筐体に設けられた開口部４１の位置を一致させる作業が行われる。具体的には、作業者は、外側ネジ２０１及び内側ネジ２０２を適宜締めたり緩めたりすることによって、光ディスク駆動装置１におけるディスクトレイ１１を上下させ（つまり距離ｄ１、ｄ２を変えていき）、ディスクトレイ１１の上下方向の位置と光ディスク再生／記録装置４０の筐体側の開口部４１の上下方向の位置とを、ディスクトレイ１１の移動を妨げない程度に一致させる。なお、第２ベース部材２２において外側ネジ２０１が挿入される孔２２１と、第３ベース部材２３においてネジ２４２が挿入される孔１０１ｃを、それぞれのネジ２０１，２４２の径に比べて余裕をもたせ、より大きい径としてもよい。このように構成した場合、孔２０１，２４２の径の大きさの範囲で、光ディスク駆動装置１の位置を前後又は左右に微調整することが可能となる。
【００２９】
上記実施形態によれば、光ディスク駆動装置１の上方からアクセスしてディスクトレイ１１の位置調整を行うことができるし、また、光ディスク駆動装置１の正面側から第１ベース部材２１と第２ベース部材２２との間の距離を視認しながら、ディスクトレイ１１の位置と光ディスク再生／記録装置４０の開口部４１の位置との位置関係をも視認することが可能になる。よって、ディスクトレイ１１の位置調整時の作業性を向上させることができる。そして、光ディスク駆動装置１の左右方向に作業用の空きスペースを設ける必要もない。
【００３０】
さらに、図７に示すような従来の構成においては、光ディスク駆動装置１ａを支持する板金フレーム、その支持のための付属部品、カム及びその回転軸などが必要になるが、このような多数の部品について一定の寸法精度が求められる。これに対し、上記実施形態によれば、ベース機構２０として基本的に複数の板状のベース部材と複数のネジがあれば足りるので、従来の構成に求められるような厳密な寸法精度が不要である。従って、上記実施形態によれば、光ディスク再生／記録装置４０の設計上の制約を低減させることが可能となる。
【００３１】
さらに、光ディスク駆動装置１と光ディスク再生／記録装置４０の筐体との間には、剛体である金属製の第１ベース部材２１、第２ベース部材２２及び第３ベース部材２３が介在しているため、光ディスク駆動装置１ａ全体の剛性が向上し、特に低音域に影響を及ぼす振動を抑制することが可能となる。
【００３２】
＜変形例＞
＜変形例１＞
ベース機構２０の構成は実施形態で例示したものに限定されない。
例えば実施形態では、第１ベース部材２１、第２ベース部材２２及び第３ベース部材２３という３つのベース部材によってベース機構を構成していたが、ベース部材の数はこれに限定されない。例えば、第１ベース部材２１、第２ベース部材２２及び第３ベース部材２３がそれぞれ、左右１枚ずつの２枚の板状部材によって構成されていてもよいし、さらに３枚状の板状部材によって構成されていてもよい。
【００３３】
また、第１ベース部材２１及び第２ベース部材２２によって、光ディスク駆動装置１の正面側の上下方向の位置を調整していたのと同じように、これに加えて、第３ベース部材２３の上に上下の位置を変更可能な第４ベース部材を配置し、光ディスク駆動装置１の背面側の上下方向の位置も併せて調整するようにしてもよい。
【００３４】
また、実施形態では、第１ベース部材２１、第２ベース部材２２及び第３ベース部材２３の長手方向がいずれも光ディスク駆動装置１の左右方向に一致するように配置していたが、これを例えば、第１ベース部材２１及び第２ベース部材２２の長手方向が光ディスク駆動装置１の前後方向に一致するようにして、光ディスク駆動装置１の右方向端部の下方に配置するとともに、第３ベース部材２３及び前述した第４ベース部材の長手方向が光ディスク駆動装置１の前後方向に一致するようにして、光ディスク駆動装置１の左方向端部の下方に配置するようにしてもよい。このようにすれば、第１ベース部材２１と第２ベース部材２２との間の距離を変えることで、図２（ｂ）に示した距離ｄ１を調整し、第３ベース部材２３と前述した第４ベース部材との間の距離を変えることで、図２（ｂ）に示した距離ｄ２を調整することができる。
なお、光ディスク駆動装置１の位置調整は主に第１ベース部材２１及び第２ベース部材２２によって行われるから、第３ベース部材２３は必ずしも必須ではない。
【００３５】
＜変形例２＞
実施形態では、光ディスクの載置面が水平の状態でディスクトレイ１１が水平方向に移動する例で説明したが、これ以外にも、例えば光ディスクの載置面が垂直でディスクトレイが水平方向に移動したり、また、例えば光ディスクの載置面が垂直でディスクトレイが垂直方向に移動したりする場合についても本発明を適用することが可能である。いずれの場合においても、内側ネジ２０２のような調整手段は光ディスクの載置面に垂直な方向から操作される。既述のとおり、一般に、光ディスク再生／記録装置の筐体は、左右方向（光ディスクの載置面に平行な方向）のサイズよりも上下方向（光ディスクの載置面に垂直な方向）のサイズが小さい形状であるから、光ディスクの載置面に水平な方向よりも光ディスクの載置面に垂直な方向から調整手段にアクセスするほうが容易である。
【符号の説明】
【００３６】
１，１ａ…光ディスク駆動装置、１０…フレーム、１１，１１ａ…ディスクトレイ、２１…第１ベース部材、２２…第２ベース部材、２３…第３ベース部材、１０１…リブ部、１０１ａ，１０１ｃ…孔、１０１ｂ…突出部、２０１，２０２，２０３，２１６，２４１，２４２…ネジ、２１１…ピン、２１２，２１３，２１５，２２１，２２３，２３１，２３２．２３３…孔、２１４，２２２，２２６…ネジ孔、２２３，２２４…切り欠き部、２０ａ，４０…光ディスク再生／記録装置、４１…開口部。
【図１】
2014182851.tif 000003
【図２】
2014182851.tif 000004
【図３】
2014182851.tif 000005
【図４】
2014182851.tif 000006
【図５】
2014182851.tif 000007
【図６】
2014182851.tif 000008
【図７】
2014182851.tif 000009